(57)【要約】【課題】照明器具本体を屋内配線器具に取付けたまま、照明器具本体と天井面との隙間に合わせたスペーサの高さ調整ができ、取扱性を向上した直付型照明器具を提供する。【解決手段】直付型照明器具であって、天井面に設置する際に器具本体上面と天井面との間に配設されるスペーサを有し、前記スペーサは、前記器具本体上面または天井面と略平行に配設された複数のリブを持つ第１の本体と第２の本体とからなり、前記第１の本体は前記照明器具本体上面に取り付けられており、前記第２の本体は、前記器具本体上面と天井面との間隔に応じて、前記第１の本体における複数のリブと前記第２の本体における複数のリブとの嵌合位置を変えられる。【選択図】  図９
2014222613.tif 000002
【特許請求の範囲】
【請求項１】
直付型照明器具であって、天井面に設置する際に照明器具本体上面と天井面との間に配設されるスペーサを有し、前記スペーサは、前記照明器具本体上面または天井面と略平行に配設された複数のリブを持つ第１の本体と第２の本体とからなり、前記第１の本体は前記照明器具本体上面に取り付けられており、前記第２の本体は、前記照明器具本体上面と天井面との間隔に応じて、前記第１の本体における複数のリブと当該第２の本体における複数のリブとの嵌合位置を変えられることを特徴とする直付型照明器具。
【請求項２】
請求項１に記載の直付型照明器具において、
前記第２の本体はつまみを有し、
前記第１の本体は、前記第１の本体における複数のリブと第２の本体における複数のリブとを嵌合した状態で当該第１の本体における前記つまみが位置する側とは反対側の稜角に相当する部分がアール形状であることを特徴とする直付型照明器具。
【請求項３】
請求項２に記載の直付型照明器具において、
前記第２の本体は、前記第１の本体における複数のリブと第２の本体における複数のリブとを嵌合した状態で前記アール形状の部分が位置する側において、前記第２の本体における複数のリブを第２の本体の最外郭を構成する壁から離間して設けたことを特徴とする直付型照明器具。
【発明の詳細な説明】
【技術分野】
【０００１】
本発明は、居室の天井に設置された屋内配線器具に取付けて使用する、直付型照明器具に関する。
【背景技術】
【０００２】
従来の直付型照明器具は、例えば天井面から突出した竿縁に屋内配線器具が設置されている場合、照明器具本体上面と天井面との間隔が広いため、不安定でお手入れがしにくいという問題があった。
【０００３】
特許文献１（特開２００２−２２２６０８号公報）には、円筒状の２部品を組み合わせて構成したスペーサが提案されており、天井面と照明器具本体上面との隙間に合わせて、お互いの嵌合位置を周方向で変えることでスペーサの高さを調整してから、照明器具本体上面に設置して、揺れを抑えるようにしたものがある。
【先行技術文献】
【特許文献】
【０００４】
【特許文献１】特開２００２−２２２６０８号公報
【発明の概要】
【発明が解決しようとする課題】
【０００５】
従来の直付型照明器具においては、スペーサの高さを調整する場合、一旦、照明器具本体を屋内配線器具から外して調整する必要があった。
【０００６】
本発明の目的は、照明器具本体を屋内配線器具に取付けたまま、照明器具本体と天井面との隙間に合わせたスペーサの高さ調整ができ、取扱性を向上した直付型照明器具を提供することにある。
【課題を解決するための手段】
【０００７】
上記目的を達成するために本発明の特徴とするところは、直付型照明器具であって、天井面に設置する際に器具本体上面と天井面との間に配設されるスペーサを有し、前記スペーサは、前記器具本体上面または天井面と略平行に配設された複数のリブを持つ第１の本体と第２の本体とからなり、前記第１の本体は前記照明器具本体上面に取り付けられており、前記第２の本体は、前記器具本体上面と天井面との間隔に応じて、前記第１の本体における複数のリブと前記第２の本体における複数のリブとの嵌合位置を変えられる。
【０００８】
更に、本発明の特徴とするところは、前記第２の本体はつまみを有し、前記第１の本体は、前記第１の本体における複数のリブと第２の本体における複数のリブとを嵌合した状態で当該第１の本体における前記つまみが位置する側とは反対側の稜角に相当する部分がアール形状である。
【０００９】
更に、本発明の特徴とするところは、前記第２の本体は、前記第１の本体における複数のリブと第２の本体における複数のリブとを嵌合した状態で前記アール形状の部分が位置する側において、前記第２の本体における複数のリブを第２の本体の最外郭を構成する壁から離間して設けたことにある。
【発明の効果】
【００１０】
本発明によれば、照明器具本体を屋内配線器具に取付けたまま。照明器具本体と天井面との隙間に合わせたスペーサの高さ調整ができ、取扱性を向上した直付型照明器具を提供することができる。
【図面の簡単な説明】
【００１１】
【図１】本発明の実施例に係る直付型照明器具を床面側から見た外観図である。
【図２】同上に係る天井面への直付型照明器具の取付け状態を示す断面図である。
【図３】同上に係る直付型照明器具の取付け状態の他の例を示す断面図である。
【図４】同上に係る直付型照明器具を天井面側から見た外観図である。
【図５】同上に係る直付型照明器具のスペーサを構成する第１の本体の外観図である。
【図６】同上に係る直付型照明器具の照明器具本体上面のスペーサ取付け部の外観図である。
【図７】同上に係る直付型照明器具のスペーサを構成する第２の本体の外観図である。
【図８】同上に係る直付型照明器具の前記第１の本体と第２の本体とを組合わせる過程を天井面側から見た図である。
【図９】同上に係る直付型照明器具の前記第１の本体と第２の本体とを組合わせる過程を側面方向から見た図である。
【図１０】同上に係る直付型照明器具の前記第１の本体と第２の本体とを組合わせた状態を側面方向から見た図である。
【図１１】前記第１の本体と第２の本体との組合わせ状態が、図１０と異なる場合の図である。
【発明を実施するための形態】
【００１２】
以下、本発明の実施例に係る照明装置の構成を添付の図を用いて説明する。本直付型照明器具は建築物、主に一般家庭の居室の天井面に設置され、建築物に付帯する引掛ローゼットや引掛シーリングなどの屋内配線器具に係合する取付アダプタを介することで外部電源と接続されると共に所定の位置に固定されて使用されるものである。図１は、天井面に設置された本直付型照明器具を床面側（下方側）から見た外観図である
【００１３】
図２は、天井面１００への直付型照明器具の取り付け状態の一例を示す断面図であり、天井面１００に設けられた引掛けローゼット１０１に取付アダプタ１０２を取り付け、取付アダプタ１０２の爪部１０３に照明器具本体１の取り付け穴１０５を係合させて天井面１００から吊っている状態を示している。ここで、照明器具本体１における照明器具本体上面１ａは、天井面１００に面した状態となっている。
【００１４】
図３は、天井面１００への取り付け状態を示す他の例の断面図であり、天井面１００に設けられた桟１０４に引掛けローゼット１０１が設置されており、照明器具本体上面１ａと天井面１００との距離が図２に示す設置例よりも大となる例である。
【００１５】
図４に本発明の実施例に係る照明器具本体１を天井面１００側から見た外観図を示す。照明器具本体１の照明器具本体上面１ａには、スペーサ２が配設されている。本実施例においては、３つのスペーサ２が略等間隔で配置されているが、これに限るものではない。スペーサ２を配設する数は必要に応じて増減してもよいし、位置もこれに限るものではない。スペーサ２は例えばポリプロピレンやポリスチレンなどの樹脂材料で作られた部品であり、図５に示す第１の本体２ａ及び、図７に示す第２の本体２ｂの２つの部品で構成されている。
【００１６】
図５は、本発明の実施例に係る直付型照明器具のスペーサ２を構成する第１の本体２ａの外観図である。図６は、本発明の実施例に係る照明器具本体１の照明器具本体上面１ａのスペーサ取付け部の外観図である。第１の本体２ａは、第１の本体外郭２０１、取り付け脚２０２、小突起２０３、リブ２０４、から構成されている。第１の本体外郭２０１は、一面が開口した略直方体形状である。また、第１の本体外郭２０１は、後述する第２の本体２ｂと組み合わせたときに第２の本体２ｂに形成されたつまみ２１１が位置する稜角２０６とは反対側の角がアール形状部２０７となっている。第１の本体外郭２０１の内部にはリブ２０４が複数形成されているが、その数や隣り合うリブ２０４の間隔は、照明器具本体１の上面１ａと天井面１００との距離や調整幅によって任意に設定できる。照明器具本体１における照明器具本体上面１ａには、取り付け穴１ｂ、係止穴１ｃが設けられている。第１の本体外郭２０１には、照明器具本体１の照明器具本体上面１ａに設けた取り付け穴１ｂに嵌合する取り付け脚２０２および小突起２０３が形成されている。本実施例では、取り付け脚２０２を取り付け穴１ｂに挿入して周方向にスライドさせることにより、小突起２０３が係止穴１ｃに嵌合して第１の本体２ａと照明器具本体上面１ａとが固定されるようになっている。本実施例においては、取り付け脚２０２は２つであり、２つの取り付け脚２０２の間に位置している小突起２０３は１つだが、この限りでない。第１の本体２ａを照明器具本体上面１ａに取り付けられれば良いため、取り付け脚２０２および小突起２０３の構造、数、位置などはこれに限るものではない。
【００１７】
図７は、本発明の実施例に係る直付型照明器具のスペーサ２を構成する第２の本体２ｂの外観図である。第２の本体２ｂは、第２の本体外郭２１０、つまみ２１１、爪２１２、リブ２１３から構成されている図７に示す第２の本体外郭２１０には、第１の本体２ａと組み合わせたときに、第１の本体２ａの稜角２０６に係合する爪２１２および、つまみ２１１が形成されている。第２の本体２ｂの本体外郭２１０の内部には、リブ２１３が複数形成されており、その数や隣り合うリブの間隔については前記第１の本体２ａと同様、任意に設定しうるものである。また、リブ２１３は、リブ２１３の長手方向で第２の本体２ｂに形成されたつまみ２１１が位置する側とは反対側において、第２の本体外郭２１０との離間部２１４を有している。
【００１８】
次に、図８〜１１を参照して、第１の本体２ａと第２の本体２ｂとの組み合わせ状態について説明する。
【００１９】
照明器具本体１を設置するにあたっては、はじめに、図１０に例示するようにスペーサ２の高さＨが最も小さくなるように第１の本体２ａと第２の本体２ｂを嵌合させる。天井面１００に設けられた引掛けローゼット１０１に取付アダプタ１０２を取り付け、取付アダプタ１０２の爪部１０３に照明器具本体１の取り付け穴１０５を係合させることで、照明器具本体１が天井面１００から吊り下げられる。この状態でスペーサ２の高さＨが照明器具本体１の上面１ａと天井面１００との距離とほぼ等しければ、取り付け状態での照明器具本体１の揺れを抑えることができる。
【００２０】
図３のように、例えば天井面１００に設けられた桟１０４に引掛けローゼット１０１が設置されていて、照明器具本体上面１ａと天井面１００との距離が図２に示す設置例よりも大となる場合は、図１１に示すようにスペーサ２の嵌合位置を変えてスペーサ２の高さＨを大きくする必要がある。嵌合位置を変える手順を以下説明する。
【００２１】
図８は、天井面１００へ取り付けた状態の照明器具本体１を、天井面１００側から見た図である。つまみ２１１に指をかけて図中の矢印方向に引き出すと、稜角２０６に係合していた爪２１２が外れるとともに、前記アール形状部２０７付近を回転中心として回動し、第２の本体２ｂを取り外すことができる。図９は図８の状態を側面方向から見た図である。
【００２２】
第２の本体２ｂが回動にするにつれて、第１の本体２ａの第１の本体外郭２０１のうちアール形状部２０７付近の外郭２０１ａが、第２の本体２ｂの内部に入り込む動きをするが、リブ２１３と本体外郭２１０との間に離間部２１４を設けることで、回動に伴う２部品の干渉を回避できる。実際の設置状態では、使用者は照明器具本体１を床面側から見上げるようにしながら天井面１００と照明器具本体１との間に手を入れて操作することになる。本実施例によれば、つまみ２１１を手前に引き出すと最後まで引っかかりなく回動するため、容易に第２の本体２ｂを取り外すことができる。
【００２３】
前記の操作によって取り外した第２の本体２ｂは、天井面１００と本体上面１ａとの間の距離に応じたリブ２０４とリブ２１３との嵌合位置で第１の本体２ａに押し込むことで、第１の本体２ａの稜角２０６に、第２の本体２ｂの爪２１２が係合して固定される。
【００２４】
以上説明したように、本実施例によれば、スペーサ２の高さ調整に係る部品の取り外し、取り付けが、照明器具本体１を屋内配線器具に取付けた状態で照明器具本体１の傾き加減を確認しながらできるようになり、取扱性を向上した直付型照明器具を提供することができる。
【符号の説明】
【００２５】
１  照明器具本体
１ａ照明器具本体上面
１ｂ  取り付け穴
１ｃ  係止穴
１００  天井面
１０１  引掛けローゼット
１０２  取付アダプタ
１０３  爪部
１０４  桟
１０５  取り付け穴
２      スペーサ
２ａ    第１の本体
２ｂ    第２の本体
２０１  第１の本体外郭
２０１ａ アール形状部２０７付近の外郭
２０２  取り付け脚
２０３  小突起
２０４  リブ
２０６  稜角
２０７  アール形状部
２１０  第２の本体外郭
２１１  つまみ
２１２  爪
２１３  リブ
２１４  離間部
【図１】
2014222613.tif 000003
【図２】
2014222613.tif 000004
【図３】
2014222613.tif 000005
【図４】
2014222613.tif 000006
【図５】
2014222613.tif 000007
【図６】
2014222613.tif 000008
【図７】
2014222613.tif 000009
【図８】
2014222613.tif 000010
【図９】
2014222613.tif 000011
【図１０】
2014222613.tif 000012
【図１１】
2014222613.tif 000013